(57)【特許請求の範囲】
【請求項１】
窓の扉体に設けられ、摘みの回転と連動して骨組みが移動し、この骨組みの移動に伴い窓の扉体を水平移動させる水平移動部とロック部が動作する水平密着型窓戸のハンドルであって、
窓の扉体に内設される筐体と、
前記筐体に配備された軸受け部と連結されて回転する摘みと、
前記筐体内に配設され、前記摘みと連動して回転するピニオンギアと、
前記ピニオンギアと噛み合って上下動する、前記骨組みが連結されたラックギアと、
前記ラックギアに固設されたガイドピンと、
一部が窓の扉体外に突出されるように組み立てられた回転防止板から形成され、この回転防止板に前記ガイドピンの移動を案内するガイド溝が形成され、このガイド溝にガイドピンが係止されて移動できないようにする係止爪が設けられた摘み回転防止部材と、
を備え、
窓の扉体が開かれた状態では前記ガイドピンが係止爪に係止されて摘みが回転されないようにし、窓の扉体を閉じて前記回転防止板が窓枠にぶつかると、この回転防止板が窓の扉体に向かって移動してガイドピンの係止が解放されることを特徴とする水平密着型窓戸の誤動作防止ハンドル。
【請求項２】
前記筐体は、箱体状に形成されて窓の扉体に内設され、軸受け部はこの筐体の一方の端の中央に設けられ、軸受け部の中央に形成された軸孔に摘みの回転中心となる回転軸が設けられることを特徴とする請求項１に記載の水平密着型窓戸の誤動作防止ハンドル。
【請求項３】
前記ピニオンギアは、摘みの回転中心となる回転軸に設けられて摘みと共に回転することを特徴とする請求項１または２に記載の水平密着型窓戸の誤動作防止ハンドル。
【請求項４】
前記ラックギアはピニオンギアと噛み合って上下動し、骨組みが連結されて一緒に移動することを特徴とする請求項１に記載の水平密着型窓戸の誤動作防止ハンドル。
【請求項５】
前記ラックギアと連結されて移動する骨組みは、水平移動部を動作させて窓の扉体を窓枠に密着させると共に、ロック部を動作させて窓の扉体がロックさせることを特徴とする請求項４に記載の水平密着型窓戸の誤動作防止ハンドル。
【請求項６】
前記筐体に覆われる蓋体を備え、この蓋体の中央部位が切り取られてこの切取部位に摘み回転防止部材が組み付けられたことを特徴とする請求項１に記載の水平密着型窓戸の誤動作防止ハンドル。
【請求項７】
前記蓋体の切取部位の上下面をスライド面にして、このスライド面に沿って摘み回転防止部材が移動可能になることを特徴とする請求項６に記載の水平密着型窓戸の誤動作防止ハンドル。
【請求項８】
前記摘み回転防止部材の回転防止板の上下縁部にバネ係止溝が形成されて筐体に設けられた戻りバネの一方の端が係止されることを特徴とする請求項１に記載の水平密着型窓戸の誤動作防止ハンドル。
【請求項９】
前記回転防止板の前面に緩衝部が配備されたことを特徴とする請求項１に記載の水平密着型窓戸の誤動作防止ハンドル。
【請求項１０】
前記ガイド溝は、垂直に穿孔された第１ガイド部を備え、この第１ガイド部の端部から水平に延びて係止爪が形成され、前記係止爪の端部から下向きに垂直に第２ガイド部が延在することを特徴とする請求項１に記載の水平密着型窓戸の誤動作防止ハンドル。
【請求項１１】
前記各戻りバネはスパイラルバネとして形成されて一方の端は前記筐体に固定され、他方の端は前記回転防止板の各バネ係止溝に係止されていることを特徴とする請求項８に記載の水平密着型窓戸の誤動作防止ハンドル。
【発明の詳細な説明】
【技術分野】
【０００１】
本発明は、水平密着型窓戸の誤動作防止ハンドルに係り、さらに詳しくは、窓の扉体が窓枠と当接しなければ摘みが回転されないように構成して窓の扉体が開かれている状態では窓の扉体扉体の水平移動はもとより、ロックが行われない水平密着型窓戸の誤動作防止ハンドルに関する。
【背景技術】
【０００２】
一般に、窓戸は、断熱性、気密性、耐圧性、防音性、水密性を向上させるとともに、高気密性と簡単な操作により様々な開閉機能を有する窓戸をシステム窓戸と呼ぶ。
【０００３】
この種の窓戸において、引き違い式システム窓戸は、窓枠と、前記窓枠に設けられた固定窓と、前記窓枠に形成されたレールに沿って左右動しながら開閉される窓の扉体と、前記窓の扉体の窓枠へのロックまたはロック解除状態を切り換えるロック装置及び前記窓の扉体を上下若しくは水平に移動させるハードウェアを備えるが、このハードウェアは、添付の図１と、図２Ａ及び図２Ｂに示すように、水平移動式で窓の扉体を窓枠に密着させる。
【０００４】
図中、従来のハードウェアは、添付の図１に示すように、摘み１０２と連結されて移動する骨組み１０を備え、この骨組みと連結されて動作し、窓の扉体を窓枠に向かって水平移動させて密着させる水平移動部１０ａと、前記骨組みと連動し、固定窓に係止されてロックが行われる公知のロック部１０ｂと、をさらに備え、前記水平移動部１０ａはローラー１２と共に窓の扉体の底面に設けられる。
【０００５】
前記水平移動部１０ａは、ローラー１２付きローラーハウジングと隣り合う個所に本体を構成するラナー２０を備え、このラナー２０にロッドバー２２が配設されるが、このロッドバー２２に一体に配備されたガイドピン２４が前記骨組み１０と連結される。
【０００６】
前記ガイドピン２４は、ガイドプレート３０に形成されたガイド溝３２に沿って移動し、ガイドプレート３０はアーム４０と連結された状態である。また、前記アーム４０の一方の端に延びた延長片４２は戻りバネ５０と連結され、他方の端は回転軸４４によりローラーハウジングと連結される。
【０００７】
このような構成を有するハードウェアは、閉扉後にユーザーが摘みを回転させると、これと連動して骨組み１０とガイドピン２４が移動し、前記ガイドピン２４はガイド溝３２に沿って移動しながらガイドプレート３０を押圧する。
【０００８】
ガイドプレート３０が押圧されると、その下部に配設される前記アーム４０が回転軸４４を中心に回転すると共に、水平移動部１０ａとこの水平移動部１０ａが設けられた窓の扉体が図１Ｂに示すように水平移動して窓枠に窓の扉体が密着される。
【０００９】
逆に、復元時には、アーム４０の一方の端の延長片４２と連結された戻りバネ５０によりアーム４０が逆転して窓の扉体が窓枠から外れる。
【００１０】
ところが、このようなハードウェアが設けられた窓戸には、いくつかの問題がある。
【００１１】
先ず、第一に、従来の窓戸は、窓の扉体が開かれた状態でも水平移動部１０ａとロック部１０ｂが動作する虞がある。すなわち、窓の扉体が開かれた状態で子供がいたずらに夢中で、若しくは、ユーザーが誤って摘みを回転させると、これと連結された骨組みが移動しながら水平移動部とロック部が動作してしまうという問題がある。
【００１２】
特に、ロック部が動作して掛け金具が移動した状態で窓の扉体を押して閉じると、当然のことながら窓の扉体はロックが行われないため外部から侵入者が侵入可能な状態に置かれるという問題がある。
【００１３】
換言すれば、窓が完全に閉じていない状態でもロック部が作動して前記掛け金具などのクレセントが回転することが可能になる。このため、消費者が注意を十分に払わない場合、窓の扉体を完全に閉じない状態で前記クレセントのみ回転し、ロック状態になったと思う虞があるため、泥棒の侵入などに露出される虞があり、防犯機能を完全に実現することができないという問題があった。
【００１４】
また、従来のハードウェアは、骨組みを移動させるギアボックスの構成が複雑であるため製作し難く、しかも、組立性が低下するという問題がある。
【発明の概要】
【発明が解決しようとする課題】
【００１５】
本発明は、このような従来の問題点を解消するために案出されたものであり、その目的は、窓の扉体が開かれているときには水平移動やロック部の動作が行われないようにする水平密着型窓戸の誤動作防止ハンドルを提供するところにある。
【００１６】
本発明の他の目的は、窓の扉体が窓枠に当接されている状態でのみ、摘みが完全に回転できるように構成して、閉じた状態では窓の扉体が外部から開けないようにして外部から人が侵入できないようにした水平密着型窓戸の誤動作防止ハンドルを提供するところにある。
【００１７】
本発明のさらに他の目的は、窓の扉体が閉じている状態でのみ水平移動及びロックが行われるようにして窓の扉体の故障及び破損を防ぎ、これに伴う修理コストを節減することのできる誤動作防止ハンドルを提供するところにある。
【課題を解決するための手段】
【００１８】
本発明は、窓の扉体に設けられ、摘みの回転と連動して骨組みが移動し、この骨組みの移動に伴い窓の扉体を水平移動させる水平移動部とロック部が動作する水平密着型窓戸のハンドルであって、窓の扉体に内設される筐体と、前記筐体に配備された軸受け部と連結されて回転する摘みと、前記筐体内に配設され、前記摘みと連動して回転するピニオンギアと、前記ピニオンギアと噛み合って上下動するが、前記骨組みが連結されたラックギアと、前記ラックギアに固設されたガイドピンと、一部が窓の扉体外に突出されるように組み立てられた回転防止板から構成され、この回転防止板に前記ガイドピンの移動を案内するガイド溝を形成するが、このガイド溝にガイドピンが係止されて移動できないようにする係止爪が設けられた摘み回転防止部材と、を備え、窓の扉体が開かれた状態では前記ガイドピンが係止爪に係止されて摘みが回転されないようにし、窓の扉体を閉じて前記回転防止板が窓枠にぶつかると、この回転防止板が窓の扉体に向かって移動してガイドピンの係止が解放されて摘みが上向きに完全に回転されて水平移動部とロック部が動作可能になることを技術的特徴とする。
【発明の効果】
【００１９】
本発明によれば、第一に、窓の扉体が開かれた状態で摘みの回転を制限して、窓の扉体が開かれた状態で摘みが回転してロック部と水平移動部が動作することを防ぐことができるという効果がある。
【００２０】
第二に、本発明によれば、ロック部と水平移動部が動作された状態で窓の扉体を閉じて窓の扉体と窓枠が破損または故障されることを防ぐことができる。
【００２１】
第三に、本発明によれば、構造が簡単であり、組立性に優れている他、正確な位置でハードウェアが作動することから、故障なしに長期に亘って窓戸を用いることができる。
【００２２】
第四に、本発明に係る窓戸用ハンドルは、移動窓が完全に閉じた状態になってはじめてロック部が作動されるので、消費者が不注意で窓の扉体を完全に閉じなかった状態でロック装置を作動させることを防ぐことができて防犯機能を完全に実現することができる。
【図面の簡単な説明】
【００２３】
【図１】水平密着型窓戸のハードウェアを示す斜視図である。
【図２】Ａ及びＢは、従来の窓戸に適用される水平移動部の一例を示す底面図である。
【図３】Ａ、Ｂ、Ｃは、本発明のハンドルユニットの斜視図である。
【図４】Ａ、Ｂ、Ｃは、本発明のハンドルユニットの一側面図である。
【図５】本発明のハンドルユニットから蓋体が取り外された状態を示す一側面図である。
【図６】本発明のハンドルユニットの内部を示す一側面図である。
【発明を実施するための形態】
【００２４】
以下、添付図面に基づき、本発明の好適な実施形態について詳細に説明する。
【００２５】
先ず、図３Ａ、図３Ｂ及び図３Ｃは、本発明のハンドルユニットの斜視図であり、図４Ａ、図４Ｂ及び図４Ｃは、本発明のハンドルユニットの一側面図である。また、図５は、本発明のハンドルユニットから蓋体が取り外された状態を示す一側面図であり、図６は、本発明のハンドルユニットの内部を示す一側面図である。
【００２６】
説明に先立って、本発明のハンドル１００は、図１に示すように、ハードウェア若しくは他の構成要素のハードウェアに適用されることが好ましいが、場合によっては、独立して他の窓戸に適用されてもよい。
【００２７】
図中、本発明のハンドル１００は、図４に示すように、筐体１２０と、ピニオンギア１４０及びラックギア１６０と、前記筐体１２０に覆われる蓋体１８０及び前記蓋体１８０に組み付けられて移動する摘み回転防止部材２００を備える。
【００２８】
筐体１２０
【００２９】
前記筐体１２０は、略矩形の箱体状に形成されて窓の扉体１２の内側に設けられるものであり、内部にピニオンギアとラックギアが設けられる空間部を有し、一方の端の中央に摘み１０２の回転を円滑にする軸受け部１２２が配備され、この軸受け部１２２の中央に軸孔１２４が形成される。
【００３０】
前記軸孔１２４には、前記摘み１０２と連結される回転軸１０４が嵌め込まれるが、この回転軸１０４には前記ピニオンギア１４０が設けられる。この構成について説明すれば、以下の通りである。
【００３１】
ピニオンギア１４０及びラックギア１６０
【００３２】
前記ピニオンギア１４０及びラックギア１６０は、図４及び図５に示すように、前記筐体１２０の内側空間に設けられるものであり、先ず、ピニオンギア１４０は、前記摘み１０２の回転軸１０４に設けられてユーザーが摘み１０２を回転させると、これと連動して回転する。
【００３３】
前記ピニオンギア１４０は、同図に示すように、一部にのみ歯が形成されているが、外周縁の全体に亘って歯が形成されても構わない。
【００３４】
前記ラックギア１６０は、ピニオンギア１４０と噛み合って上下動し、このラックギア１６０には前記骨組み１０が連結される。
【００３５】
換言すれば、ユーザーが摘み１０２を回転させると、この摘みと同じ回転軸１２４に設けられたピニオンギア１４０が回転し、このピニオンギア１４０と噛み合ったラックギア１６０が上下動するが、このとき、ラックギア１６０の背面に連結された骨組み１０が同時に上下動してハードウェア、すなわち、水平移動部１０ａとロック部１０ｂを動作させる。
【００３６】
一方、前記ラックギア１６０にはガイドピン１６２が設けられて一緒に移動するが、このガイドピン１６２は、摘み回転防止板２４０に形成されたガイド溝２２０に沿って移動し、これについては後述する。
【００３７】
蓋体１８０
【００３８】
前記筐体１２０に覆われる前記蓋体１８０は、上下縁部に締め付けられた固定ボルト１８２により筐体１２０に固定されて前記ギアの離脱を防ぎ、中央は切り取られた状態でこの切取部位に摘み回転防止板が組み付けられるが、上下切取面が回転防止板の移動を案内するスライド面１８４の役割を果たす。
【００３９】
摘み回転防止部材２００
【００４０】
前記摘み回転防止部材２００は、ガイド溝２２０付き回転防止板２４０から形成され、前記蓋体１８０の中央に設けられた切取部位に嵌め込まれ、一部は窓の扉体１２の外側に突出されてこの突出部位が窓枠１４とぶつかると、窓の扉体に向かって移動する。
【００４１】
前記回転防止板２４０の表面には、ゴム、合成樹脂、ウレタン若しくはその他の材質から形成された緩衝部２６０が配備されて、窓枠にぶつかったときに衝撃が緩和されるようになっている。
【００４２】
また、前記回転防止板２４０の上下端部には移動片２８０が配備されて前記蓋体１８０に形成されたスライド面１８４に沿って移動可能になり、中央に設けられた前記ガイド溝２２０にはラックギア１６０と一体に形成されたガイドピン１６２が嵌め込まれて移動する。
【００４３】
前記ガイド溝２２０は係止爪２２２を有し、この係止爪２２２にガイドピン１６２が係止されて摘み１０２の回転が防がれる。
【００４４】
すなわち、前記ガイド溝２２０は、垂直の第１ガイド部２２４と、この第１ガイド部の端部が水平に延びて係止爪２２２を形成し、さらに係止爪２２２の端部から下向きに垂直に延びた第２ガイド部２２６とを備え、略「￣|」字状を呈する。
【００４５】
また、前記摘み回転防止板２４０は、上下縁端部にバネ係止溝２０４が形成され、このバネ係止溝２０２に筐体１２０に設けられた戻りバネ２０２の一方の端が係止され、摘み１０２を下向きに回転させると、この戻りバネ２０２が弾性力により回転防止板２４０を引っ張ってさらに窓の扉体１２の外側に突出させる。
【００４６】
前記戻りバネ２０２はスパイラルバネであり、筐体１２０に固定された状態で一方の端は筐体１２０に、他方の端は前記バネ係止溝２０４に係止されて弾性力により回転防止板を引っ張って戻す。
【００４７】
図中の未説明符号３００は、窓の扉体に設けられて閉扉時に衝撃を緩和させる衝撃緩衝部材であり、３２０は、この衝撃緩衝部材の内側に設けられる緩衝バネである。
【００４８】
以下、このような構成を有する本発明の設置及び動作過程について述べる。
【００４９】
先ず、本発明の筐体１２０は、窓の扉体の内部に設けられ、ここにはピニオンギア１４０及びラックギア１６０が設けられ、外部から摘み１０２が組み付けられるが、この摘み１０２の回転中心となる回転軸１０４に前記ピニオンギア１４０が設けられて、摘みの回転と同時に、ピニオンギア１４０、ラックギア１６０、ラックギア１６０と連結された骨組み１０、骨組み１０に連結された水平移動部１０ａ及びロック部１０ｂが連動される。
【００５０】
本発明において、ユーザーにより回転する摘みは、添付の図３Ａ、図３Ｂ及び図３Ｃに示すように、３段階を経て回転される。
【００５１】
すなわち、図３Ａの状態は、開扉、すなわち、窓の扉体が開かれた状態であり、図３Ｂは、回転防止板２４０の係止爪２２２にガイドピン１６２が係止されている状態であり、図３Ｃは、窓の扉体が窓枠に密着された後に摘み回転防止板２４０が窓の扉体に向かって移動してガイドピン１６２の係止が解放された状態であり、この状態で摘みを完全に上向きに回転させることにより水平移動部１０Ａとロック部１０Ｂの動作が行われる。
【００５２】
本発明の動作過程についてより具体的に説明すると、図４Ａに示すように、ガイドピン１６２が第１ガイド部２２４に位置している状態は、摘み１０２が下向きにある状態であり、このときの窓の扉体は開かれている。
【００５３】
本発明において、上記のように窓の扉体が開かれている状態では、摘み１０２を回転させて水平移動部とロック部を動作させることができない。
【００５４】
すなわち、窓の扉体が開かれている状態でユーザーが摘み１０２を回転させると、この摘みと連動するラックギア１６０のガイドピン１６２が第１ガイド部２２４に沿って移動して所定の角度、すなわち、略９０°は回転するが、ガイドピン２２４が係止爪２２２に係止される瞬間摘み１０２はそれ以上回転せずに止まり、これにより、水平移動部とロック部は動作しない。図４Ｂに示す状態である。
【００５５】
本発明において、摘みを完全に上向きに回転させるためには、図４Ｃに示す状態になる必要がある。
【００５６】
ユーザーが窓の扉体１２を押して窓枠に回転防止板２４０が当接すると、回転防止板はスライド面１８４に沿って窓の扉体に向かって移動し、回転防止板２４０が移動するに伴い、ガイドピン１６２は係止爪から係脱される。
【００５７】
この状態で摘みを上向きに完全に回転させると、図４Ｄに示すように、ガイドピン１６２は第２ガイド部に沿って移動する。もちろん、摘みが完全に回転すると、ラックギア及びピニオンギア、骨組みがこの順に連動し、水平移動部１０ａとロック部１０ｂが動作する。
【００５８】
逆に、窓の扉体を開くときに、ユーザーは摘み１０２を下向きに回転させる筈であり、これと連動して、ガイドピン１６２は第２ガイド部２２６から外れて第１ガイド部２２４まで移動し、窓の扉体が開くと共に摘み回転防止板２４０が戻りバネ２０２により戻る。
【符号の説明】
【００５９】
１０：骨組み
１０ａ：水平移動部
１００：ハンドル
１２０：筐体
１４０：ピニオンギア
１６０：ラックギア
２００：摘み回転防止部材
２２０：ガイド溝
２４０：回転防止板
２６０：緩衝部
【図１】
0005765662.tif 000002
【図２ａ】
0005765662.tif 000003
【図２ｂ】
0005765662.tif 000004
【図３ａ】
0005765662.tif 000005
【図３ｂ】
0005765662.tif 000006
【図３ｃ】
0005765662.tif 000007
【図４ａ】
0005765662.tif 000008
【図４ｂ】
0005765662.tif 000009
【図４ｃ】
0005765662.tif 000010
【図４ｄ】
0005765662.tif 000011
【図５】
0005765662.tif 000012
【図６】
0005765662.tif 000013